(57)【要約】    【課題】  本発明は、従来の梯子の欠点を解消することが可能な角度の調節が可能な接地部材を有する梯子を提供することを課題とする。    【解決手段】  本発明に係る梯子は、複数の支柱（２１）及び該支柱（２１）に接続された複数の踏桟（２２）を有する梯子フレーム（２）と、前記支柱（２１）に取り付けられた脚（３２）であって、前記各支柱（２１）と当該各脚（３２）との総合的な長さを調節可能であり、下端（３２１）を有する前記脚（３２）と、（を備えた梯子であって、）前記各脚（３２）の下端（３２１）に対して旋回する接地部材（４）であって、各脚（３２）の下端から間隔をあけて下側に配置されたボトムプレート（４１）を有し、前記各脚（３２）に対して旋回可能な複数の接地部材（４）と、前記各脚（３２）に対して所望の角度で前記各接地部材（４）を保持する複数の留め具（４２）とを備えたことを特徴とする。【選択図】図６
2006348630.tif 000002
【特許請求の範囲】
【請求項１】
複数の支柱（２１）及び該支柱（２１）に接続された複数の踏桟（２２）を有する梯子フレーム（２）と、
前記支柱（２１）に取り付けられた複数の脚（３２）であって、前記各支柱（２１）と当該各脚（３２）との総合的な長さを調節可能であり、下端（３２１）を有する前記脚（３２）とを備えた梯子であって、
複数の接地部材（４）であって、前記各脚（３２）の下端（３２１）に対して軸着されて前記各脚（３２）に対して旋回可能とされ、各脚（３２）の下端から間隔をあけて下側に配置されたボトムプレート（４１）を有する前記接地部材（４）と、
前記各脚（３２）に対して所望の角度で前記各接地部材（４）を保持する複数の留め具（４２）と、
を備えたことを特徴とする梯子。
【請求項２】
前記各支柱（２１）に固定され、前記各支柱（２１）の長さ方向に並べられた複数の雌ネジ部材（３１）をさらに備え、
前記各脚（３２）は、前記雌ネジ部材（３１）に螺合する雄ネジ部（３２２）を有することを特徴とする請求項１に記載の梯子。
【請求項３】
前記各接地部材（４）は、前記ボトムプレート（４１）に対して横断する方向に前記ボトムプレート（４１）から延びたピボットプレート（４３）をさらに備え、
前記各留め具（４２）は、前記各脚（３２）の下端（３２１）及び前記各接地部材（４）のピボットプレート（４３）を貫通して延びるボルト（４２１）と、該ボルト（４２１）に螺合するナット（４２２）とを有していることを特徴とする請求項１に記載の梯子。
【請求項４】
複数のスリーブ（３３）と、
複数の保持ピン（３４）と、
をさらに備え、
前記各スリーブ（３３）は、
前記各支柱（２１）に固定され、
該各支柱（２１）の長さ方向に延び、
間隔をあけて当該スリーブ（３３）の長さ方向に並べられた複数の保持溝（３３３）が形成されており、
前記各脚（３２）は、
前記各スリーブ（３３）の中を延び、
保持孔（３２０）が形成され、
選択された前記各保持溝（３３３）に前記保持孔（３２０）を位置合わせできるよう前記各スリーブ（３３）に対して可動であり、
前記各保持ピン（３４）は、前記各脚（３２）の保持孔（３２０）と前記各スリーブ（３３）の選択された前記保持溝（３３３）とを貫通して延びることを特徴とする請求項１に記載の梯子。
【請求項５】
複数のスリーブ（３３）と、
複数のボルト（３４）と、
をさらに備え、
前記各スリーブ（３３）は、
前記各支柱（２１）に固定され、
前記各支柱（２１）の長さ方向に延び、
当該スリーブ（３３）の長さ方向に延びた長溝（３３１）と、間隔をあけて当該スリーブ（３３）の長さ方向に並べられ、前記長溝（３３１）に空間的に繋がる保持孔（３３２）とが形成されており、
前記各脚（３２）は、
前記各スリーブ（３３）の中を延び、
ネジ穴（３２３）と、各スリーブ（３３）の選択された保持孔（３３２）にネジ穴（３２３）を位置合わせできるよう前記各スリーブ（３３）の長溝（３３１）内にスライド可能に収容された長レール（３２２）とが形成されており、
前記各ボルト（３４）は、
前記各スリーブ（３３）の各保持孔（３３２）を貫通して延び、
前記各脚（３２）のネジ穴（３２３）に螺合する
ことを特徴とする請求項１に記載の梯子。
【請求項６】
複数のスリーブ（３３）と、
複数のピニオン（６３３）と、
をさらに備え、
前記各スリーブ（３３）は、
前記各支柱（２１）に固定され、
前記各支柱（２１）の長さ方向に延び、
開口部（３３０）が形成されており、
前記各脚（３２）は、前記各スリーブ（３３）の中を延びるラック（３２２）が設けられており、
前記各ピニオン（６３３）は、
前記開口部（３３０）に隣接して前記各スリーブ（３３）に回転可能に設けられ、
前記各脚（３２）のラック（３２２）と噛み合うように前記各スリーブ（３３）の開口部（３３０）を貫通して延びており、
前記各スリーブ（３３）に対する前記各脚（３２）の駆動を操作可能とする
ことを特徴とする請求項１に記載の梯子。
【請求項７】
複数のロックピン（６３６）をさらに備え、
該各ロックピン（６３６）は、
前記各ピニオン（６３３）に隣接して前記各スリーブ（３３）に可動的に取り付けられ、
当該ロックピン（６３６）が前記隣接するピニオン（６３３）に噛み合うロックポジションと、当該ロックピン（６３６）が前記隣接するピニオン（６３３）から外れたロック解除ポジションとの間を動かすことができる
ことを特徴とする請求項６に記載の梯子。
【請求項８】
複数のスリーブ（３３）と、
複数のロック部材（７４）と、
をさらに備え、
前記各スリーブ（３３）は、
前記各支柱（２１）に固定され、
前記各支柱（２１）の長さ方向に延び、
開口部（３３０）が形成されており、
前記各脚（３２）は、
前記各スリーブ（３３）内を延び、
当該脚（３２）の長さ方向に並べられた複数の保持溝（３２４）が形成されており、
前記各ロック部材（７４）は、
前記各スリーブ（３３）の開口部（３３０）に隣接して配置され、
ロックポジションとロック解除ポジションとの間を回転できるよう前記各スリーブ（３３）に対して旋回でき、
当該ロック部材（７４）が前記ロックポジションに配置されたとき前記各脚（３２）の選択された前記各保持溝（３２４）に係合するよう前記開口部（３３０）を貫通して延びる係合アーム（７４１）と、該係合アーム（７４１）から延び前記ロックポジションから前記ロック解除ポジションへと当該ロック部材（７４）を回転させる動作を可能とする操作アーム（７４２）とを有している、
ことを特徴とする請求項１乃至７のいずれか１項に記載の梯子。
【請求項９】
複数の支柱（２１）及び該支柱（２１）に接続された複数の踏桟（２２）を有する梯子フレームを備えた梯子であって、
それぞれが、前記各支柱（２１）に固定され、前記各支柱（２１）の長さ方向に延びる複数のスリーブ（３３）と、
それぞれが前記スリーブ（３３）内に延びる複数の脚（３２）であって、前記各支柱（２１）と当該各脚（３２）との総合的な長さを伸縮自在に調節可能な脚（３２）と、
前記脚（３２）を前記スリーブ（３３）に固定するための複数のロック部材（３４，６３６，７４）と
をさらに備えたことを特徴とする梯子。
【請求項１０】
前記各スリーブは、間隔をあけて当該スリーブ（３３）の長さ方向に並べられた複数の保持溝（３３３）が形成され、
前記各脚（３２）は、保持孔（３２０）が形成されており、
前記各ロック部材（３４）は、前記各脚（３２）の保持孔（３２０）と前記各スリーブ（３３）の選択された保持溝（３３３）とを貫通して延びている、
ことを特徴とする請求項９に記載の梯子。
【請求項１１】
前記各スリーブ（３３）は、当該スリーブ（３３）の長さ方向に延びた長溝（３３１）と、間隔をあけて当該スリーブ（３３）の長さ方向に並べられ、空間的に前記長溝（３３１）に繋がる複数の保持孔（３３２）とが形成されており、
前記各脚（３２）は、ネジ穴（３２３）と、前記各スリーブ（３３）の選択された保持孔（３３２）に前記ネジ穴（３２３）を位置合わせできるよう、前記各スリーブ（３３）の長溝（３３１）内にスライド可能に収容された長レール（３２２）とが形成されており、
前記各ロック部材（３４）は、前記各スリーブ（３３）の各保持孔（３３２）を貫通して延び、前記各脚（３２）のネジ穴（３２３）に螺合する、
ことを特徴とする請求項９に記載の梯子。
【請求項１２】
複数のピニオン（６３３）をさらに備え、
前記各スリーブ（３３）は、開口部（３３０）が形成され、
前記各脚（３２）は、前記各スリーブ（３３）の中を延びるラック（３２２）が設けられており、
前記各ピニオン（６３３）は、
前記開口部（３３０）に隣接して前記各スリーブ（３３）に回転可能に設けられ、
前記各脚（３２）のラック（３２２）と噛み合うように前記各スリーブ（３３）の開口部（３３０）を貫通して延び、
前記各スリーブ（３３）に対する前記各脚（３２）の駆動を操作可能であり、
前記各ロック部材（６３６）は、
前記各ピニオン（６３３）に隣接して前記各スリーブ（３３）に可動的に取り付けられ、
当該ロック部材（６３６）が前記隣接するピニオン（６３３）に噛み合うロックポジションと、当該ロック部材（６３６）が前記隣接するピニオン（６３３）から外れたロック解除ポジションとの間を動かすことができる、
ことを特徴とする請求項９に記載の梯子。
【請求項１３】
前記各スリーブ（３３）は、開口部（３３０）が形成され、
前記各脚（３２）は、当該脚（３２）の長さ方向に並べられた複数の保持溝（３２４）が形成されており、
前記各ロック部材（７４）は、
前記各スリーブ（３３）の開口部（３３０）に隣接して配置され、
ロックポジションとロック解除ポジションとの間を回転できるよう前記各スリーブ（３３）に対して旋回でき、
当該ロック部材（７４）が前記ロックポジションに配置されたとき前記各脚（３２）の選択された前記各保持溝（３２４）に係合するよう前記開口部（３３０）を貫通して延びる係合アーム（７４１）と、該係合アーム（７４１）から延び前記ロックポジションから前記ロック解除ポジションへと当該ロック部材（７４）を回転させる動作を可能とする操作アーム（７４２）とを有している、
ことを特徴とする請求項９に記載の梯子。
【発明の詳細な説明】
【技術分野】
【０００１】
本発明は、梯子に関するものであり、さらに詳細には、角度調節可能な接地部材と、梯子の支柱に固定されたスリーブに収容される伸縮可能な脚とを有する梯子に関するものである。
【背景技術】
【０００２】
台湾特許第２５６３１４号明細書には、複数の支柱と、該支柱に接続された複数の踏桟と、前記支柱に伸縮自在に取り付けられた複数の脚と、該脚の下端に固定された複数の接地部材とを備えた従来の梯子が開示されている。
【０００３】
従来の梯子は、平らでない地面に立てた際、接地部材と平らでない地面との間の接触角度が不適切なために、不安定であるといった問題があった。
【特許文献１】台湾特許第２５６３１４号明細書
【発明の開示】
【発明が解決しようとする課題】
【０００４】
そこで、本発明は、上述の従来の梯子の欠点を解消することを可能とする、角度の調節が可能な接地部材を有する梯子を提供することを主たる課題とし、梯子の機械的強度を向上させるために、梯子の脚を収容し梯子の支柱に固定されたスリーブを有する梯子を提供することをさらなる課題とする。
【課題を解決するための手段】
【０００５】
前記課題を解決するための手段として、本発明の１つの側面によると、本発明に係る梯子は、複数の支柱及び該支柱に接続された複数の踏桟を有する梯子フレームと、前記支柱に取り付けられた複数の脚であって、前記各支柱と当該各脚との総合的な長さを調節可能であり、下端を有する前記脚と、前記各脚の下端に対して旋回する接地部材であって、各脚の下端から間隔をあけて下側に配置されたボトムプレートを有し、前記各脚に対して旋回可能な複数の前記接地部材と、前記各脚に対して所望の角度で前記各接地部材を保持する複数の留め具とを備えたことを特徴とする。
【０００６】
本発明の他の側面によると、本発明に係る梯子は、複数の支柱及び該支柱に接続された複数の踏桟を有する梯子フレームと、それぞれが、前記各支柱に固定され、前記各支柱の長さ方向に延びる複数のスリーブと、それぞれが前記スリーブ内に延びる複数の脚であって、前記各支柱と当該各脚との総合的な長さを伸縮自在に調節可能な脚と、前記脚を前記スリーブに固定するための複数のロック部材とを備えたことを特徴とする。
【発明を実施するための最良の形態】
【０００７】
以下、本発明についてより詳細に説明する。なお、本明細書全体を通して、類似の要素を示すのに同じ符号が使用されている。
【０００８】
図１及び２は、本発明に係る脚立の第１実施形態について示している。
【０００９】
前記脚立は、複数の支柱２１、及び支柱２１に接続された複数の踏桟２２を有する梯子フレーム２と、支柱２１に取り付けられた脚３２であって、それぞれが伸縮自在で各支柱２１と当該各脚３２との総合的な長さを調節可能であり、下端３２１を有する複数の脚３２と、それぞれが、各脚３２の下端３２１に対して旋回する接地部材４であって、各脚３２の下端３２１から間隔をあけて下側に配置されたボトムプレート４１を有し、各脚３２に対して旋回可能な複数の接地部材４と、各接地部材４を各脚３２に対して所望の角度で保持するための複数の留め具４２とを備えている。
【００１０】
本実施形態において、調節機構は、各支柱２１に固定されており、各支柱２１の長さ方向に並べられた複数の雌ネジ部材３１を含んでいる。各脚３２は雄ネジ部３２２を有しており、該雄ネジ部３２２は、各支柱２１と各脚３２との総合的な長さを調節できるようにするため雌ネジ部材３１と螺合する。
【００１１】
各接地部材４は、さらに、ボトムプレート４１から該ボトルプレート４１に対して横断する方向に延びたピボットプレート４３を有している。各留め具４２は、各脚３２の下端３２１と各接地部材４のピボットプレート４３とを貫通して延びるボルト４２１と、留め具４２を各脚３２に固定するためにボルト４２１に螺合するナット４２２とを含んでいる。
【００１２】
図３は、第１実施形態が、床と床上の段とに脚立を立てた状態でどのように使用されるかを示す図である。
【００１３】
図４は、第１実施形態が、平らでない地面に梯子を立てた状態でどのように使用されるかを示す図である。平らでない地面に立てられた接地部材４は、各留め具４２をゆるめて、各脚３２に対して角度を調節し、接地部材４を所望の角度に回転させた後、各留め具４２をしっかり留める。こうすることにより、平らでない地面に立てられた脚立の安定性が向上する。
【００１４】
図５は、本発明に係る梯子の第２実施形態を示す図である。本実施形態の梯子は、４本の支柱２１の代わりに、２本の支柱２１のみを有するストレートタイプの梯子である点で第１実施形態とは異なる。
【００１５】
図６及び７は、本発明に係る梯子の第３実施形態を示す図である。本実施形態の梯子は、第１実施形態とは異なり、調節機構が複数のスリーブ３３を含んでいる。各スリーブ３３は、各支柱２１に固定されおり、また、各支柱２１の長さ方向に延びており、さらには、スリーブ３３の長さ方向に並ぶ複数の間隔をあけた保持溝３３３が形成されている。各脚３２は、各スリーブ３３の中を延びており、また、保持孔３２０が形成されており、さらには、保持孔３２０を選択された保持溝３３３に位置合わせできるように、各スリーブ３３に対して伸縮自在に移動することができる。ボルトの形で表された複数のロック部材３４（図６及び７では、１つのロック部材３４のみを表示）は、脚３２を支柱２１に対して所望の位置で位置決めするために使用される。なお、本実施形態ではロック部材３４をボルトとしているが、保持ピンとすることもできる。各ロック部材３４は、各脚３２の保持孔３２０と、各スリーブ３３の選択された一つの保持溝３３３とを貫通して延びる。各保持溝３３３は、ロック部材３４が保持溝３３３から不要な移動を防ぐために、実質的にＬ型となっている。
【００１６】
図８及び９は、本発明に係る梯子の第４実施形態について示した図である。本実施形態の梯子は、第１実施形態と異なり、調節機構が複数のスリーブ３３を含んでいる。各スリーブ３３は、各支柱２１に固定されており、また、各支柱２１の長さ方向に延びており、さらには、スリーブ３３の長さ方向に延びた長溝３３１と、スリーブ３３の長さ方向に並べられ長溝３３１に空間的に繋がっている複数の間隔をあけた保持孔３３２とが形成されている。各脚３２は各スリーブ３３の中を延びており、ネジ穴３２３と長レール３２２とが形成されている。長レール３２２は、ネジ穴３２３が各スリーブ３３の選択された保持孔３３２に位置合わせできるようにするため、長溝３３１にスライド可能に収容される。ボルトの形で表された複数のロック部材３４（図８及び９では、１つのロック部材３４のみを表示）は脚３２を支柱２１に対して所望の位置で位置決めするために使用される。各ロック部材３４は、各スリーブ３３の各保持孔３３２を貫通して延び、各脚３２のネジ穴３２３に螺合する。
【００１７】
図１０及び１１は、本発明に係る梯子の第５実施形態について示す図である。本実施形態の梯子は、第１実施形態と異なり、調節機構が複数のスリーブ３３を含んでいる。各スリーブ３３は、各支柱２１に固定され、また、各支柱２１の長さ方向に延びており、さらには、開口部３３０が形成されている。各脚３２は、各スリーブ３３の中を延びるラック３２２が設けられている。前記梯子はさらに複数のピニオン６３３を含んでおり、各ピニオン６３３は、開口部３３０に隣接して各スリーブ３３に回転可能に設けられており、また、各脚３２のラック３２２と噛み合うように各スリーブ３３の開口部３３０を貫通して延びており、さらには、各スリーブ３３に対する各脚３２の駆動を操作することができる。各ピニオン６３３には操作レバー６３４が設けられており、該操作レバー６３４は、各ピニオン６３３の回転方向を制御するよう操作できる。ピンの形で表された複数のロック部材６３６（図１１では、１つのロック部材６３６のみ表示）は、ピニオン６３３の不要な回転を防ぐために使用される。各ロック部材６３６は、各ピニオン６３３に隣接して各スリーブ３３に可動的に取り付けられる。また、各ロック部材６３６は、ロック部材６３６が隣接するピニオン６３３に噛み合うロックポジション（図１１参照）と、ロック部材６３６が隣接するピニオン６３３から外されたロック解除ポジション（図示省略）との間を動かすことができる。制御ボタン６３７は、各ロック部材６３６に設けられており、各ロック部材６３６の動作を制御するよう押すことが可能である。
【００１８】
図１２及び１３は、本発明に係る梯子の第６実施形態を示す図である。本実施形態の梯子は、第１実施形態と異なり、調節機構が複数のスリーブ３３を含んでいる。各スリーブ３３は、各支柱２１に固定され、また、各支柱２１の長さ方向に延びており、さらには、開口部３３０が形成されている（図１３参照）。各脚３２は、各スリーブ３３の中を延びており、当該脚３２の長さ方向に並べられた複数の保持溝３２４が形成されている。前記梯子はさらに複数のロック部材７４を含んでおり、各ロック部材７４は、各スリーブ３３に固定された取付台７３に設けられ、各スリーブ３３の開口部３３０に隣接して配置されており、ロックポジションとロック解除ポジションとの間を回転できるように各スリーブ３３に対して旋回できる。また、各ロック部材７４は、ロック部材７４がロックポジションに配置されたとき（図１３参照）、各脚３２の選択された保持溝３２４に係合するよう開口部３３０を貫通して延びている係合アーム７４１と、係合アーム７４１から延び、ロックポジションからロック解除ポジション（図示省略）にロック部材７４を回転させる操作を可能とする操作アーム７４２とを有している。付勢部材７４３は、ロック解除ポジションからロックポジションにロック部材７４を戻すために、取付台７３と操作アーム７４２とに対して接するよう設けられている。
【００１９】
以上、上記各実施形態では、接地部材４は、支柱２１に対して角度を調節できるために、梯子が平らでない地面に立てられたときの本発明に係る梯子の安定性を向上させることができ、これによって、上述の従来技術に関連する欠点を解消することができる。さらには、本発明に係る梯子のスリーブ３３によって、支柱にロック部材３４（６３６，７４）の係合のための溝や孔を形成する必要をなくすことができるため、梯子の機械的強度を向上させることができる。
【図面の簡単な説明】
【００２０】
【図１】本発明の第１実施形態に係る梯子の斜視図である。
【図２】第１実施形態に係る梯子の部分斜視図である。
【図３】第１実施形態に係る梯子を床と床上の段に立てた状態での使用方法を示す斜視図である。
【図４】第１実施形態に係る梯子を平らでない地面に立てた状態での使用方法を示す斜視図である。
【図５】本発明の第２実施形態に係る梯子を使用した状態を示す概略図である。
【図６】本発明の第３実施形態に係る梯子の部分斜視図である。
【図７】本発明の第３実施形態に係る梯子の部分斜視図である。
【図８】本発明の第４実施形態に係る梯子の部分斜視図である。
【図９】第４実施形態に係る梯子の部分断面図である。
【図１０】本発明の第５実施形態に係る梯子の概略図である。
【図１１】第５実施形態に係る脚の長さ調節方法を示す部分概略図である。
【図１２】本発明の第６実施形態に係る梯子の概略図である。
【図１３】第６実施形態に係る脚の長さ調節方法を示す部分概略図である。
【符号の説明】
【００２１】
２  梯子フレーム
４  接地部材
２１  支柱
２２  踏桟
３１  雌ネジ部材
３２  脚
３３  スリーブ
３４  保持ピン、ボルト、ロック部材
４１  ボトムプレート
４２  留め具
４３  ピボットプレート
７４  ロック部材
３２０  保持孔
３２１  下端
３２２  雄ネジ部、長レール、ラック
３２３  ネジ穴
３２４  保持溝
３３０  開口部
３３１  長溝
３３２  保持孔
３３３  保持溝
４２１  ボルト
４２２  ナット
６３３  ピニオン
６３６  ロックピン、ロック部材
７４１  係合アーム
７４２  操作アーム
【図１】
2006348630.tif 000003
【図２】
2006348630.tif 000004
【図３】
2006348630.tif 000005
【図４】
2006348630.tif 000006
【図５】
2006348630.tif 000007
【図６】
2006348630.tif 000008
【図７】
2006348630.tif 000009
【図８】
2006348630.tif 000010
【図９】
2006348630.tif 000011
【図１０】
2006348630.tif 000012
【図１１】
2006348630.tif 000013
【図１２】
2006348630.tif 000014
【図１３】
2006348630.tif 000015